【事件の表示】
　特許第２６５５０３５号「記録シート」の特許に対する特許異議の申立てについて、次のとおり決定する。
【結論】
　訂正を認める。
　特許第２６５５０３５号の特許を維持する。
【理由】
Ｉ．手続の経緯
　本件特許第２６５５０３５号は、平成４年１２月２２日に特許出願され、平成９年５月３０日にその特許の設定登録がなされ、その後、前川英彦より特許異議の申立がなされ、取消理由通知がなされ、その指定期間内である平成１０年９月１４日に訂正請求がなされたものである。
ＩＩ．訂正の適否についての判断
１．訂正の内容
　特許権者が求めている訂正の内容は、以下のとおりである。
ａ．特許請求の範囲の「式（１）
（Ｎａ，Ｌｉ）ｍＭｇｎＬｉ６−２ｎ−ｍＳｉ４Ｏ１０（Ｆ，ＯＨ）２　（１）［式中、ｍは１／３〜１、ｎは２〜８／３の範囲の数を表す］の化合物から選ばれた少なくとも一種の雲母類と」を
「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及び
Ｌｉ１／３Ｍｇ８／３Ｌｉ１／３Ｓｉ４Ｏ１０（ＯＨ）２で示される化合物から選ばれた少なくとも一種の膨潤性雲母類と」と訂正する。
ｂ．明細書の段落【０００５】（特許公報第４欄第１０〜１４行）の「式（１）
（Ｎａ，Ｌｉ）ｍＭｇｎＬｉ６−２ｎ−ｍＳｉ４Ｏ１０（Ｆ，ＯＨ）２　（１）［式中、ｍは１／３〜１、ｎは２〜８／３の範囲の数を表す］の化合物から選ばれた少なくとも一種の雲母類と」を
「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種の膨潤性雲母類と」と訂正する。
ｃ．明細書の段落【０００６】（特許公報第３欄第２４行〜第４欄第１７行）の
「Ｎａ２／３Ｍｇ７／３Ｌｉ２／３Ｓｉ４Ｏ１０Ｆ２（バーメキュライト）、
Ｎａ２／３Ｍｇ７／３Ｌｉ２／３Ｓｉ４Ｏ１０（ＯＨ）２（バーメキュライト）、
Ｎａ１／３Ｍｇ８／３Ｌｉ１／３Ｓｉ４Ｏ１０Ｆ２（モンモリロナイト）、
Ｎａ１／３Ｍｇ８／３Ｌｉ１／３Ｓｉ４Ｏ１０（ＯＨ）２（モンモリロナイト）」を削除する。
ｄ．明細書の段落【０００７】（特許公報第３欄２９行）の「式中、ｍおよびｎは式（１）と同じ意味を有する」を「式中、ｍは１／３〜１、ｎは２〜８／３の範囲の数を表す」と訂正する。
ｅ．明細書の段落【０００７】（特許公報第３欄第３３〜４２行）の「本発明において雲母類という用語は、バーメキュライト、モンモリロナイトを含む意味で使用される。膨潤性雲母類は、”ＭＥ−１００”（コープケミカル（株）製）、”スメクタイトＳＷＦ”（コープケミカル（株）製）等の商品名で市販されている。例えば、”ＭＥ−１００”は、ＮａＭｇ２ＬｉＳｉ４Ｏ１０Ｆ２、”スメクタイトＳＷＦ”はＮａ１／３Ｍｇ８／３Ｌｉ１／３Ｓｉ４Ｏ１０Ｆ２、”スメクタイトＳＷＮ”はＮａ１／３Ｍｇ８／３Ｌｉ１／３Ｓｉ４Ｏ１０（ＯＨ）２という組成を有している。」を「膨潤性雲母類は、”ＭＥ−１００”（コープケミカル（株）製）等の商品名で市販されている。例えば、”ＭＥ−１００”は、ＮａＭｇ２ＬｉＳｉ４Ｏ１０Ｆ２という組成を有している。」と訂正する。
ｆ．明細書の段落【００１５】〜【００１７】（特許公報第６欄第１３〜３９行）の「実施例１…（中略）…（商品名”スミレーズレジン６１３”３．２部」を削除する。
ｇ．明細書の段落【００１８】（特許公報第５欄第４０〜４１行）の「実施例４　インキ受容層用塗料として、下記組成物を使用した他は実施例１と同様に操作して記録シートを作成した。」を「実施例１　坪量９０ｇ／ｍ２の上質紙の片面に、下記組成からなるインキ受容層用塗料を塗布、乾燥して厚さ１０μｍのインキ受容層を形成して記録シートを作成した。なお、以下の各例において、使用される各成分の濃度は、実施例１に記載した各成分の濃度と同じである。」と訂正する。
ｈ．明細書の段落【００１８】（特許公報第５欄第４２〜４６行）の「膨潤性雲母（商品名”ＭＥ−１００”）３００部」を「膨潤性雲母（商品名”ＭＥ−１００”、コープケミカル（株）製）３００部」と訂正する。
ｉ．明細書の段落【００１９】（特許公報第５欄第４７行）の「実施例５」を「実施例２」と訂正する。
ｊ．明細書の段落【００２２】（特許公報第７欄第１５行）の「実施例１〜５」を「実施例１〜２」と訂正する。
ｋ．明細書第９頁の表１（特許公報第７〜８欄）の「実施例３〜５」に係る３行をすべて削除する。
２．訂正の目的の適否、新規事項の有無及び拡張・変更の存否
　上記訂正ａは、特許明細書の特許請求の範囲に記載された式（１）で表される雲母類を、明細書の段落【００６】に例示された範囲内の特定の膨潤性雲母類に限定するものであるから、特許請求の範囲の減縮を目的とするものであり、願書に添付した明細書の範囲内の訂正であり、実質的に特許請求の範囲を拡張又は変更するものではない。
　上記訂正ｂは、特許請求の範囲の減縮を目的とする訂正ａに伴って生じた、特許請求の範囲と、発明の詳細な説明の欄との不整合部分を整合させるためのものであるから、明瞭でない記載の釈明を目的とするものであり、願書に添付した明細書の範囲内の訂正であり、実質的に特許請求の範囲を拡張又は変更するものではない。
　上記訂正ｃ、ｅは、特許請求の範囲の減縮を目的とする訂正ａに伴って、発明の実施の範囲外となったバーメキュライト、モンモリロナイト等の雲母類に係る記載を削除するものであり、特許請求の範囲と、発明の詳細な説明の欄との不整合部分を整合させるためのものであるから、明瞭でない記載の釈明を目的とするものであり、願書に添付した明細書の範囲内の訂正であり、実質的に特許請求の範囲を拡張又は変更するものではない。
　上記訂正ｄは、上記訂正ｂで化学式（１）とその係数ｍ、ｎの説明が削除されたので、雲母の化学式の係数ｍ、ｎの説明について、化学式（１）を引用する形式の記載を　独立した形式の記載に訂正するものであり、明瞭でない記載の釈明を目的とするものであり、願書に添付した明細書の範囲内の訂正であり、実質的に特許請求の範囲を拡張又は変更するものではない。
　上記訂正ｆ、ｉ、ｊ、ｋは、特許請求の範囲の減縮を目的とする訂正ａに伴って、発明の実施の範囲外となった「実施例１〜実施例３」に係る記述を削除するものであり、特許請求の範囲と、発明の詳細な説明の欄との不整合部分を整合させるためのものであるから、明瞭でない記載の釈明を目的とするものであり、願書に添付した明細書の範囲内の訂正であり、実質的に特許請求の範囲を拡張又は変更するものではない。
　上記訂正ｇは、上記訂正ｆで「実施例１〜実施例３」の記述が削除されたので、残された実施例について、「実施例１」を引用する形式の記載を独立した形式の記載に訂正するものであり、明瞭でない記載の釈明を目的とするものであり、願書に添付した明細書の範囲内の訂正であり、実質的に特許請求の範囲を拡張又は変更するものではない。
　上記訂正ｈは、実施例で用いる膨潤性雲母の説明について、明細書の段落【００７】の具体例説明を根拠にして、その雲母の販社の記述を加えるべく訂正するものであり、明瞭でない記載の釈明を目的とするもので、願書に添付した明細書の範囲内の訂正であり、実質的に特許請求の範囲を拡張又は変更するものではない。
３．独立特許要件の判断
（１）訂正明細書の特許請求の範囲に記載された発明
　訂正明細書の特許請求の範囲に記載された発明（以下、単に「本件発明」という。）は、下記のとおりのものである。
「繊維質基材の少なくとも一面に、
ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種の膨潤性雲母類と、水溶性高分子結着剤とを含有するインキ受容層を設けたことを特徴とするインキジェットプリンター用記録シート。」
（２）取消理由の趣旨
　当審が通知した取消理由の概要は、「▲１▼訂正前の本件発明は、刊行物１あるいは刊行物２にそれぞれ記載された発明と同一であり、本件発明の特許は、特許法第２９条第１項第３号に違反してされたものである。▲２▼訂正前の本件発明は、参考資料を参酌すると、刊行物１、刊行物２及び刊行物３に記載された発明に基づいて当業者が容易に発明をすることができたものであるから、本件発明の特許は、特許法第２９条第２項に違反してされたものである。」というものである。
（３）引用刊行物の記載
　刊行物１（特開昭５５−１４４１７２号公報）には、「水性インクを受像シートに噴射して記録像を得るインクジェット記録方法において、該受像シートが、該水性インク中の着色成分を吸着する顔料塗布層を有することを特徴とするインクジェット記録方法。」（特許請求の範囲）、「本発明のもう一つの目的はインク吸収性が良く、インクの着色成分の横方向への拡がり及び厚さ方向への浸透が少ないインクジェット記録用シートを提供することである。」（第２頁上右欄第１９行〜同頁下左欄第２行）、「染料を吸着する顔料としては、ゼオライト、バーミキュライト、カオリナイト、ハロイサイト、ハロイサイト酸処理品、アタパルジャイト、ケイソウ土、無水ケイ酸、ケイ酸アルミニウム、ケイ酸カルシウム、ケイ酸マグネシウム、アルミナ、ジルコニウム塩、イオン交換樹脂微粉末、尿素−ホルマリン樹脂微粉末、などが使用できる。染料吸着成分として顔料を使用するのが、本発明の実施に最も適している。」（第８頁上右欄第１０〜１９行）、「でんぷん、ポリビニルアルコール、メチルセルロース、ヒドロキシエチルセルロース、ヒドロキシエチル化でんぷん、ポリアクリルアミド、ポリビニルピロリドン、スチレン−ブタジエン共重合物ラテックス、メチルメタクリレートーブタジエン共重合物ラテックス、アクリル酸エステル共重合物ラテックスなどが使用できる。また、染料吸着性のある接着剤とない接着剤を併用しても良い。」（第４頁上左欄第６〜１６行）、「顔料塗布層の支持体には、紙、布、プラスチックフィルム、金属板、木板、ガラス板、などが使用できる。」（第４頁下左欄第４〜６行）が記載されている。
　刊行物２（特公昭６２−１０８３６号公報）には、「塩基性有色染料インクを噴射して記録像を形成するインクジェット記録用シートであって、該シートが酸性白土を含有することを特徴とするインクジェット記録用シート。」（特許請求の範囲）、「本発明による記録用シートは、使用顔料自体に染料の吸着性があるため、顔料固定用の接着剤の種類にかかわらず、インクドットの横方向への広がり、厚さ方向への浸透が防止できる。即ち、接着剤として水溶性高分子物質を使用し、これを耐水化した場合でも、あるいはまた、インクドットの広がり防止には効果のない疎水性のラテックスを接着剤として使用した場合でも、濃度が高く、解像力に優れた多色インクジェット記録を得ることができる。また本発明によれば、インク中の塩基性有色染料自体が酸性白土に吸着しているため、記録用シートに水がかかった場合でも染料の溶出がない。」（第３頁第５欄第２８〜４０行）、「本発明のインクジェット記録用シートに用いられる酸性白土は、モンモリロナイト及びその酸性処理品をいう。」（第３頁第６欄第７〜９行）、「酸性白土及び必要に応じて他の顔料（以下単に顔料と称す）の接着剤としては、たとえば、スチレン−ブタジエン共重合物ラテックス、メチルメタクリレート−ブタジエン共重合物ラテックス、酢ビ系ラテックス、アクリル酸エステル系ラテックスなどのラテックス類、更には、カルボキシメチルセルロース、セルロースサルフェート、カルボキシ変性ポリビニルアルコール、アルギン酸ナトリウム、アラビアゴム、・・・（中略）・・・でんぷん、ゼラチン、カゼイン、大豆蛋白、メチルセルロース、ヒドロキシエチルセルロース、ヒドロキシエチル化でんぶん、ポリアクリルアミド、ポリビニルピロリドンなどの水溶性高分子物質が使用できる。」（第３頁第６欄第２５行〜第４頁第７欄第４行）、「本発明の支持体に使用する紙は、木材パルプを主体とするが、必要に応じて合成繊維、合成パルプ、無機繊維などを混合しても良い。」（第４頁第７欄第２５〜２７行）が記載されている。
　刊行物３（米国特許第４，７９２，４８７号明細書）には、紙を支持体として、その上に、ヘクトライトやベントナイト等の高膨潤性モンモリロナイト等と、水不溶性高分子結着剤とを主体とする塗工剤を塗布してインク受容層を設けた、インク吸収性および印字記録品質に優れる、多色水性インクジェットプリンター用の記録シートが示されている。
　参考資料（昭和６２年２月１５日、共立出版刊、「化学大辞典第８巻」Ｐ．３１１、「ヘクトライト」の項）には、ヘクトライトが、モンモリロン石群鉱物の一種であり、その組成が、
　Ｎａ０．６８（Ｍｇ５．３４Ｌｉ０．６８）Ｓｉ８Ｏ２０、（ＯＨ）４・ｎＨ２Ｏであることが示されている。
（４）対比・判断
▲１▼特許法第２９条第１項第３号違反について
　訂正後の本件発明と、刊行物１に記載の発明とを対比すると、後者の「ポリビニルアルコールなどの接着剤」、「紙などの支持体」、「着色成分を吸着する顔料塗布層」は、それぞれ前者の「水溶性高分子結着剤」、「繊維質基材」、「インキ受容層」に相当すること、及び、後者の接着剤として同掲の「スチレン−ブタジエン共重合物ラテックス」は前者の「水溶性高分子結着剤」にあたらないことを考慮すると、両者は、繊維質基材の少なくとも一面に、膨潤性雲母類と、高分子結着剤とを含有するインキ受容層を設けたことを特徴とするインキジェットプリンター用記録シートである点で一致するが、インキ受容層の主要成分たる膨潤性雲母類について、前者は、
「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種」を用いるのに対して、後者は、バーミキュライト等の染料吸着性顔料という上記化合物とは別異の化合物を用いる点、及び、高分子結着剤について、前者は水溶性のものに限定しているのに対して、後者はそのような限定をしていない点で、相違している。
　したがって、本件発明は、刊行物１に記載された発明とはいえない。
　訂正後の本件発明と、刊行物２に記載の発明とを対比すると、後者の「水溶性高分子物質などの接着剤」、「紙などの支持体」、「酸性白土含有層」は、それぞれ前者の「水溶性高分子結着剤」、「繊維質基材」、「インキ受容層」に相当すること、及び、後者の接着剤として同掲の「スチレン−ブタジエン共重合物ラテックス」は前者の「水溶性高分子結着剤」にあたらないことを考慮すると、両者は、繊維質基材の少なくとも一面に、膨潤性雲母類と、結着剤とを含有するインキ受容層を設けたことを特徴とするインキジェットプリンター用記録シートである点で一致するが、インキ受容層の主要成分たる膨潤性雲母類について、前者は、
「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種」を用いるのに対して、後者は、モンモリロナイト及びその酸性処理品の酸性白土という上記化合物とは別異の化合物を用いる点、及び、高分子結着剤について、前者は水溶性のものに限定しているのに対して、後者はそのような限定をしていない点で、相違している。
　したがって、本件発明は、刊行物２に記載された発明とはいえない。
　結局、本件発明は、刊行物１あるいは刊行物２に記載された発明であるとはいえず、特許法第２９条第１項第３号の規定に違反して特許されたものとはいえない。
▲２▼特許法第２９条第２項違反について
　訂正後の本件発明と、刊行物３に記載の発明とを対比すると、後者の「紙などの支持体」、「塗工層」は、それぞれ前者の「繊維質基材」、「インキ受容層」に相当するから、両者は、繊維質基材の少なくとも一面に、膨潤性雲母類と、高分子結着剤とを含有するインキ受容層を設けたことを特徴とするインキジェットプリンター用記録シートである点で一致するが、インキ受容層の主要成分たる膨潤性雲母類について、前者は、
「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種」を用いるのに対して、後者は、ヘクトライトやベントナイト等の高膨潤性モンモリロナイトという上記化合物とは別異の化合物を用いている点（相違点１）、及び、高分子結着剤について、前者は、水溶性高分子結合剤を用いるのに対して、後者は、水不溶性高分子結合剤を用いる点（相違点２）で相違している。
　相違点について検討する。
　相違点２については、刊行物１〜２に、水溶性高分子結着剤を用い得ることが示されるものの、そこで組合せ使用される雲母類化合物は、刊行物３の発明で使用される雲母類化合物とは異なるから、双方を結び付ける契機はなく、又、水性インクの滲み等の問題もあり、単に、刊行物３の発明の水不溶性高分子結着剤を刊行物１〜２の発明の水溶性高分子結着剤に置換することもできない。
　相違点１に関して、刊行物１〜２には、（４）▲１▼での検討から明らかなように、本件発明の化合物とは別異の化合物が示されるのみであるから、やはり、その相違を埋める事項を見出すことはできない。
　さらに、刊行物１〜３に記載された発明を組み合わせたところで、本件発明の構成に結び付けることはできず、本件発明の効果を予測できたとすることもできない。
　結局、本件発明は、刊行物１〜３に記載された発明から容易に想到できたものとはいえず、特許法第２９条第２項の規定に違反して特許されたものとはいえない。
４．むすび
　以上のとおりであるから、上記訂正請求は、特許法第１２０条の４第２項及び同条第３項で準用する第１２６条第２〜４項の規定に適合するので、当該訂正を認める。
ＩＩＩ．特許異議の申立てについての判断
１．特許異議申立の概要
　特許異議申立人は、証拠方法として、甲第１号証（米国特許第４，７９２，４８７号明細書）、甲第２号証（昭和６２年２月１５日、共立出版刊、「化学大辞典第８巻」Ｐ．３１１、「ヘクトライト」の項）、甲第３号証（特開昭５６−１４８５８５号公報）、甲第４号証（特開昭５５−１４４１７２号公報）、甲第５号証（特公昭６２−１０８３６号公報）を提示して、本件発明は、甲第１号証、甲第３〜５号証にそれぞれ記載された発明と同一であり、特許法第２９条第１項第３号の規定に違反して特許されたものであるから、また、甲第１号証、甲第３〜５号証に記載された発明から容易に想到しえたものであり、特許法第２９条第２項の規定に違反して特許されたものであるから、特許を取り消すべき旨主張している。
２．検討・判断
　異議申立人の提出した甲第１号証は、上記ＩＩ．３で検討した刊行物３であり、甲第２号証は、上記ＩＩ．３で検討した参考資料であり、甲４号証は、上記ＩＩ．３で検討した刊行物１であり、甲第５号証は、上記ＩＩ．３で検討した刊行物２であり、それらに係る判断は、すでに、上記ＩＩ．３で示したとおりである。
　甲第３号証（特開昭５６−１４８５８５号公報）には、「１．色素を吸着し保持する機能を持つ多孔性無機物粒子を含有する記録液受容層を基体上に設けて成ることを特徴とする被記録材。
２．前記基体が紙である特許請求の範囲第１項記載の被記録材。
３．色素を含む記録液の小滴を、前記色素を吸着し保持する機能を持つ多孔性無機物粒子を含有して成る記録液受容層に付着させて記録を行うことを特徴とするインクジェット記録法。」（特許請求の範囲）、「このようにして、本発明に於いて選定された無機顔料は次のとおりである。天然ゼオライト、合成ゼオライト（例えば、モレキュラーシーブ〔ユニオンカーバイト社製〕）、ケイソウ土、徴粉ケイ酸（平均粒子径、１μ以下）、ケイ酸（平均粒子径、２０μ以下）、合成雲母〔一般式；Ｍ・Ｍｇ２．５（Ｓｉ４・Ｏ１０）・Ｆ２、但し式中Ｍは水素原子又は金属原子である。〕本発明では、これ等の粒子（…一般に数百ミリミクロンから数十ミクロンの粒子）を単独で、又は数種を併用してバインダー（結着樹脂）分散液又は溶液中に混合分散させて塗布用塗料を作る。このバインダーとしては、水溶性或いは、有機溶剤可溶性の樹脂の何れも使用可能である。例えば、水溶性樹脂としては、ポリビニルアルコール、…（中略）…等であり、有機溶剤可溶性樹脂としては、ポリビニルブチラール、…（中略）…等である。…（中略）…そして、この塗料を塗工するときの、基材となるのは、本発明に於いて、通常、紙、布等の多孔質材料である。」（第３頁右上欄第１８行〜同頁右下欄第８行）と記載され、また、実施例として、紙の支持体に、ケイソウ土、合成雲母（元素構成等は示されず）等数種の多孔性無機物粒子を樹脂結着剤とともに塗工して、数種の被記録材を調製し、インクジェット記録すると、いずれの被記録材もインク定着速度が早く、滲みが少ないことが示されている。
　しかし、一般的な技術常識からみて、「雲母」、「合成雲母」は、種々の金属元素をいくつか含有する夥しく多様な層状のケイ酸塩を包含しているので、甲第３号証の金属成分元素が明記されない一般式の合成雲母（「色素を吸着し保持する機能を持つ多孔性無機物粒子」の一つとして例示されるもの）は、本件発明の化学構造式で特定される雲母化合物を示しているとはいえない。
　これを踏まえて、訂正後の本件発明と、甲第３号証に記載の発明とを対比すると、後者の「水溶性バインダー」、「紙の支持体」、「記録液受容層」は、それぞれ前者の「水溶性高分子結着剤」、「繊維質基材」、「インキ受容層」に相当し、又、後者のバインダーとして同掲の「ポリビニルブチラール等の有機溶媒可溶性樹脂」は前者の「水溶性高分子結着剤」にあたらないから、両者は、繊維質基材の少なくとも一面に、膨潤性雲母類と、結着剤とを含有するインキ受容層を設けたことを特徴とするインキジェットプリンター用記録シートである点で一致するが、インキ受容層の主要成分たる膨潤性雲母類について、前者は、
「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種」と化学構造式で特定された雲母化合物を用いるのに対して、後者は、一般式で示される別の雲母化合物を用いる点（相違点１）、及び、高分子結着剤について、前者は水溶性のものに限定しているのに対して、後者はそのような限定をしていない点（相違点２）で、相違している。
　したがって、本件発明は、甲第３号証に記載された発明ともいえない。
　続いて、相違点を検討するに、いずれの相違点についても、上記ＩＩ．３での検討から明らかなように、他の甲号証の記載からその相違を埋める事項を見出すことはできない。
　結局、本件発明は、甲号各証に記載された発明から容易に想到できたものとはいえず、特許法第２９条第２項の規定に違反して特許されたものとはいえない。
３．むすび
　以上のとおりであり、特許異議申立の理由及び証拠によっては、本件発明の特許を取り消すことはできない。
　また、他に本件発明の特許を取り消すべき理由を発見しない。
　よって、結論のとおり決定する。
【異議決定日】
平成１１年１２月１５日（１９９９．１２．１５）
【訂正の要旨】
訂正の要旨
　特許第２６５５０３５号発明の特許明細書を下記のとおり訂正する。
訂正事項ａ．
　特許請求の範囲の「式（１）
（Ｎａ，Ｌｉ）ｍＭｇｎＬｉ６−２ｎ−ｍＳｉ４Ｏ１０（Ｆ，ＯＨ）２　（１）［式中、ｍは１／３〜１、ｎは２〜８／３の範囲の数を表す］の化合物から選ばれた少なくとも一種の雲母類と」を、特許請求の範囲の減縮を目的として「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種の膨潤性雲母類と」と訂正する。
訂正事項ｂ．
　明細書の段落【０００５】（特許公報第４欄第１０〜１４行）の「式（１）
（Ｎａ，Ｌｉ）ｍＭｇｎＬｉ６−２ｎ−ｍＳｉ４Ｏ１０（Ｆ，ＯＨ）２　（１）［式中、ｍは１／３〜１、ｎは２〜８／３の範囲の数を表す］の化合物から選ばれた少なくとも一種の雲母類と」を、明瞭でない記載の釈明を目的として「ＮａＭｇ２ＬｉＳｉ４Ｏ１０Ｆ２、ＮａＭｇ２ＬｉＳｉ４Ｏ１０（ＯＨ）２、
ＮａＭｇ２．５Ｓｉ４Ｏ１０Ｆ２、ＮａＭｇ２．５Ｓｉ４Ｏ１０（ＯＨ）２、ＬｉＭｇ２ＬｉＳｉ４Ｏ１０Ｆ２、
ＬｉＭｇ２ＬｉＳｉ４Ｏ１０（ＯＨ）２、Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、Ｌｉ１／３Ｍｇ８／３Ｌｉ１／３Ｓｉ４Ｏ１０Ｆ２、及びＬｉ１／３Ｍｇ８／３Ｌｉ１／３Ｓｉ４Ｏ１０（ＯＨ）２で示される化合物から選ばれた少なくとも一種の膨潤性雲母類と」と訂正する。
訂正事項ｃ．
　明細書の段落【０００６】（特許公報第３欄第２４行〜第４欄第１７行）の
「Ｎａ２／３Ｍｇ７／３Ｌｉ２／３Ｓｉ４Ｏ１０Ｆ２（バーメキュライト）、
Ｎａ２／３Ｍｇ７／３Ｌｉ２／３Ｓｉ４Ｏ１０（ＯＨ）２（バーメキュライト）、
Ｎａ１／３Ｍｇ８／３Ｌｉ１／３Ｓｉ４Ｏ１０Ｆ２（モンモリロナイト）、
Ｎａ１／３Ｍｇ８／３Ｌｉ１／３Ｓｉ４Ｏ１０（ＯＨ）２（モンモリロナイト）」を、明瞭でない記載の釈明を目的として削除する。
訂正事項ｄ．
　明細書の段落【０００７】（特許公報第３欄２９行）の「式中、ｍおよびｎは式（１）と同じ意味を有する」を、明瞭でない記載の釈明を目的として「式中、ｍは１／３〜１、ｎは２〜８／３の範囲の数を表す」と訂正する。
訂正事項ｅ．
　明細書の段落【０００７】（特許公報第３欄第３３〜４２行）の「本発明において雲母類という用語は、バーメキュライト、モンモリロナイトを含む意味で使用される。膨潤性雲母類は、”ＭＥ−１００”（コープケミカル（株）製）、”スメクタイトＳＷＦ”（コープケミカル（株）製）等の商品名で市販されている。例えば、”ＭＥ−１００”は、ＮａＭｇ２ＬｉＳｉ４Ｏ１０Ｆ２、”スメクタイトＳＷＦ”はＮａ１／３Ｍｇ８／３Ｌｉ１／３Ｓｉ４Ｏ１０Ｆ２、”スメクタイトＳＷＮ”はＮａ１／３Ｍｇ８／３Ｌｉ１／３Ｓｉ４Ｏ１０（ＯＨ）２という組成を有している。」を、明瞭でない記載の釈明を目的として「膨潤性雲母類は、”ＭＥ−１００”（コープケミカル（株）製）等の商品名で市販されている。例えば、”ＭＥ−１００”は、ＮａＭｇ２ＬｉＳｉ４Ｏ１０Ｆ２という組成を有している。」と訂正する。
訂正事項ｆ．
　明細書の段落【００１５】〜【００１７】（特許公報第６欄第１３〜３９行）の「実施例１…（中略）…（商品名”スミレーズレジン６１３”３．２部」を、明瞭でない記載の釈明を目的として削除する。
訂正事項ｇ．
　明細書の段落【００１８】（特許公報第５欄第４０〜４１行）の「実施例４　インキ受容層用塗料として、下記組成物を使用した他は実施例１と同様に操作して記録シートを作成した。」を、明瞭でない記載の釈明を目的として「実施例１　坪量９０ｇ／ｍ２の上質紙の片面に、下記組成からなるインキ受容層用塗料を塗布、乾燥して厚さ１０μｍのインキ受容層を形成して記録シートを作成した。なお、以下の各例において、使用される各成分の濃度は、実施例１に記載した各成分の濃度と同じである。」と訂正する。
訂正事項ｈ．
　明細書の段落【００１８】（特許公報第５欄第４２〜４６行）の　「膨潤性雲母（商品名”ＭＥ−１００”）３００部」を、明瞭でない記載の釈明を目的として「膨潤性雲母（商品名”ＭＥ−１００”、コープケミカル（株）製）３００部」と訂正する。
訂正事項ｉ．
　明細書の段落【００１９】（特許公報第５欄第４７行）の「実施例５」を、明瞭でない記載の釈明を目的として「実施例２」と訂正する。
訂正事項ｊ．
　明細書の段落【００２２】（特許公報第７欄第１５行）の「実施例１〜５」を、明瞭でない記載の釈明を目的として「実施例１〜２」と訂正する。
訂正事項ｋ．
　明細書第９頁の表１（特許公報第７〜８欄）の「実施例３〜５」に係る３行を、明瞭でない記載の釈明を目的としてすべて削除する。
（５４）【発明の名称】
記録シート
（５７）【特許請求の範囲】
　　【請求項１】　繊維質基材の少なくとも一面に、
ＮａＭｇ２ＬｉＳｉ４Ｏ１０Ｆ２、
ＮａＭｇ２ＬｉＳｉ４Ｏ１０（ＯＨ）２、
ＮａＭｇ２．５Ｓｉ４Ｏ１０Ｆ２、
ＮａＭｇ２．５Ｓｉ４Ｏ１０（ＯＨ）２、
ＬｉＭｇ２ＬｉＳｉ４Ｏ１０Ｆ２、
ＬｉＭｇ２ＬｉＳｉ４Ｏ１０（ＯＨ）２、
Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、
Ｌｉ１／３Ｍｇ８／３Ｌｉ１／３Ｓｉ４Ｏ１０Ｆ２、および
Ｌｉ１／３Ｍｇ８／３Ｌｉ１／３Ｓｉ４Ｏ１０（ＯＨ）２　
で示される
膨潤性
【発明の詳細な説明】
　　【０００１】
　【産業上の利用分野】
　本発明はインキジェットプリンター用記録シートに関する。さらに詳しくは、優れたインキ吸収性、定着性を示すと共に、保存安定性、高品質な画質が得られるインキジェットプリンター用への使用に適した記録シートに関する。
　　【０００２】
　【従来の技術】
　インキジェットプリンターは、記録の鮮明さ、音の静かさ、カラー化の容易さ等の特徴を有するため、近年その普及は増大しつつあるのが現状である。インキジェットプリンターは、インキの乾燥によるジェットノズルの詰まりを防止するため、乾燥しにくいインキを使用している。インキは一般に、結着剤、染料、溶媒、添加剤等を水に溶解または分散したものである。このため、インキジェットプリンター用に使用される記録シートは、吸水性が要求される。そこで通常インキを十分吸収する性能を付与された記録シートが使用される。
　　【０００３】
　記録シートの水性インキに対する受容性すなわちインキの吸収性を向上させるものとして、ポリビニルアルコールを主体とし、これにグリセリン、塩化リチウム、澱粉、ゼラチン、ヒドロキシエチルセルロースまたはカルボキシメチルセルロース等のインキジェットプリンター用インキに対し湿潤性のある材料を含有した水性塗料を基材上に塗布してインキ受容層を形成することが提案されている。しかし、上記のような従来提案されてきた記録シートは、実用上十分なインキ吸収性を有するものではなく、またインキ吸収性を十分なレベルまで付与しようとすると、吸湿による表面のベタツキが生じ、シート保序時にブロッキングが生じる等の保存性が不良であるという問題を生ずるものであった。
　　【０００４】
　【発明が解決しようとする課題】
　本発明は、従来の記録シートが有する問題点を解決し、インキ吸収性に優れ、かつ記録画像の鮮明性、保存安定性に優れたインキジェットプリンター用への使用に適した記録シートを提供する。
　　【０００５】
　【課題を解決するための手段】
本発明は、繊維質基材の少なくとも一面に、
ＮａＭｇ２ＬｉＳｉ４Ｏ１０Ｆ２、
ＮａＭｇ２ＬｉＳｉ４Ｏ１０（ＯＨ）２、
ＮａＭｇ２．５Ｓｉ４Ｏ１０Ｆ２、
ＮａＭｇ２．５Ｓｉ４Ｏ１０（ＯＨ）２、
ＬｉＭｇ２ＬｉＳｉ４Ｏ１０Ｆ２、
ＬｉＭｇ２ＬｉＳｉ４Ｏ１０（ＯＨ）２、
Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、
Ｌｉ１／３Ｍｇ８／３Ｌｉ１／３Ｓｉ４Ｏ１０Ｆ２、および
Ｌｉ１／３Ｍｇ８／３Ｌｉ１／３Ｓｉ４Ｏ１０（ＯＨ）２
で示される化合物から選ばれた少なくとも一種の膨潤性雲母類と、水溶性高分子結着剤とを含有するインキ受容層を設けたことを特徴とするインキジェットプリンター用記録シートを提供する。
　　【０００６】
雲母類としては次の化合物を例示できる。
ＮａＭｇ２ＬｉＳｉ４Ｏ１０Ｆ２、
ＮａＭｇ２ＬｉＳｉ４Ｏ１０（ＯＨ）２、
ＮａＭｇ２．５Ｓｉ４Ｏ１０Ｆ２、
ＮａＭｇ２．５Ｓｉ４Ｏ１０（ＯＨ）２、
ＬｉＭｇ２ＬｉＳｉ４Ｏ１０Ｆ２、
ＬｉＭｇ２ＬｉＳｉ４Ｏ１０（ＯＨ）２、
Ｌｉ２／３Ｍｇ７／３Ｌｉ２／３Ｓｉ４Ｏ１０Ｆ２、
Ｌｉ２／３Ｍｇ７／３Ｌｉ２／３Ｓｉ４Ｏ１０（ＯＨ）２、
Ｌｉ１／３Ｍｇ８／３Ｌｉ１／３Ｓｉ４Ｏ１０Ｆ２、
Ｌｉ１／３Ｍｇ８／３Ｌｉ１／３Ｓｉ４Ｏ１０（ＯＨ）２。
　　【０００７】
　一般に天然に産出する雲母は、
（Ｋ）ｍＭｇｎＬｉ６−２ｎ−ｍＳｉ４Ｏ１０（ＯＨ）２
［式中、ｍは１／３〜１、ｎは２〜８／３の範囲の数を表す］
からなる組成を有し、膨潤性を有しない。本発明で使用する雲母類は、天然産雲母のカリウムイオンをナトリウムイオンまたはリチウムイオンに置換した構造を有し、水に対する膨潤性を有する。膨洞性雲母類は、“ＭＥ−１００”（コープケミカル（株）製）等の商品名で市販されている。例えば、“ＭＥ−１００”は、ＮａＭｇ２ＬｉＳｉ４Ｏ１０Ｆ２という組成を有している。
　　【０００８】
　基材上に設けられるインキ受容層は、少なくとも水溶性高分子結着剤と膨洞性雲母類とからなり、その他必要に応じて、顔料、高分子化合物、各種添加剤が包含される。水溶性高分子結着剤としては、例えば、ポリビニルアルコール系樹脂、水溶性ポリビニルアセタール樹脂、その他の水溶性ビニル樹脂、水溶性ポリアミド樹脂、酸化澱粉、カゼイン、ポリエチレンオキサイド、ポリビニルピロリドン等が挙げられる。これらの水溶性樹脂は単独あるいは混合して使用される。特に好ましい水溶性高分子結着剤としては、雲母類とのブレンド性、記録画像の鮮明性等の観点から、ポリビニルアルコール系樹脂、水溶性ポリビニルアセタール樹脂、ポリビニルピロリドン等が例示される。
　　【０００９】
　インキ受容層には、顔料を添加することもでき、顔料としては、例えば、シリカ、クレー、マイカ、タルク、カオリン、ケイソウ土、炭酸カルシウム、硫酸バリウム、ケイ酸アルミニウム、合成ゼオライト、アルミナ、酸化亜鉛、リトポン、サチンホワイト等の従来使用されてきた充填材料が挙げられる。この他、有機または無機の着色顔料等も使用することができる。最も好ましい顔料としては水吸収性の良好なシリカを例示することができる。
　　【００１０】
　その他の添加剤として、耐水性の向上、インキの惨み防止機能を付与するためのメラミンホルムアルデヒド樹脂、尿素ホルムアルデヒド樹脂、グリオキザール、炭酸ジルコニウムアンモニウム等の耐水化剤を配合してもよい。また記録シートの生産性、記録特性、あるいは保存安定性をより高めるための、分散剤、蛍光染料、ｐＨ調整剤、消泡剤、潤滑剤、防腐剤等の各種添加剤を加えてもよい。
　　【００１１】
　インキ受容層中の雲母類の配合量は、全固形分に対し５〜８０重量％、好ましくは２０〜６０重量％である。雲母類の配合量が、上記範囲の下限よりも少ないときにはインキ吸収性が十分でないおそれがある。また雲母類の配合量は、インキ受容層の塗膜強度、塗料の粘度特性を考慮して選択される。雲母の粒径は、１〜５０μｍ、好ましくは１〜１０μｍのものが好ましく使用される。
　　【００１２】
　基材としては、紙、布、不織布等の繊維質基材が用いられる。これらの基材は、記録目的、記録画像の用途、あるいはインキ受容層との密着性等を考慮して適宜選択される。
　　【００１３】
　インキ受容層の形成は、インキ受容層を形成する材料を水または適当な溶媒中に溶解もしくは分散させて調製した塗工液を、ロールコーター、ブレードコーター、エアナイフコーター、ロッドコーター等のコーターを適宜使用して、基材上に塗布して形成する。その他、ホットメルトコーター、ラミネートコ−タ−等を使用して、基材上に積層して形成してもよい。
　　【００１４】
　インキ受容層は、厚さ１〜２０μｍ程度が好ましく、特に好ましくは５〜１０μｍ程度である。２０μｍより厚くしても特性が特に良くなるものでもなく、また１μｍよりも薄いとインキ吸収性が十分でなくなるおそれがある。
　　【００１５】
　以下実施例に基づき、本発明をより詳細に説明する。以下の各例において、部、％は特にことわりの無い限り重量部、重量％を表す。
　実施例１
　坪量９０ｇ／ｍ２の上質紙の片面に、下記組成からなるインキ受容層用塗料を塗布、乾燥して厚さ１０μｍのインキ受容層を形成して記録シートを作成した。なお、以下の各例において、使用される各成分の濃度は、実施例１に記載した各成分の濃度と同じである。
　膨潤性雲母（商品名“ＭＥ−１００”、コープケミカル（株）製）　３００部
　シリカ（商品名“ファインシールＸ−３７”）　　　　　　　　　　　　３部
　ポリビニルアルコール（商品名“Ｔ−３３０”日本合成化学（株）製、１０％溶解品）
　　　　　　　　　　　　　　　　　　　　　　　　　　　　　　　　　５０部
　ポリビニルピロリドン（商品名“ＰＶＰ　Ｋ−９０”、ＧＡＦ（株）製、１０％溶解品）
　　　　　　　　　　　　　　　　　　　　　　　　　　　　　　　　　６０部
　メラミン系架橋剤（商品名“スミレーズレジンＳＲ６１３”、住友化学工業（株）製、固形分８０％）
　　　　　　　　　　　　　　　　　　　　　　　　　　　　　　　　３．２部
　　【００１６】
実施例２
　インキ受容層用塗料として、下記組成物を使用した他は実施例１と同様に操作して記録シートを作成した。
　膨潤性雲母（商品名“ＭＥ−１００”）　　　　　　　　　　　　　９７０部
　ポリビニルアルコール（商品名“Ｔ−３３０”）　　　　　　　　　　５０部
　ポリビニルピロリドン（商品名“ＰＶＰ　Ｋ−９０”）　　　　　　　６０部
　メラミン系架橋剤（商品名“スミレーズレジンＳＲ６１３”）　　　３．２部
　　【００１７】
比較例１
　インキ受容層用塗料として、下記組成物を使用した他は実施例１と同様に操作して記録シートを作成した。
　シリカ（商品名“ファインシールＸ−３７”）　　　　　　　　　　　２０部
　ポリビニルアルコール（商品名“Ｔ−３３０”）　　　　　　　　　　５０部
　ポリビニルピロリドン（商品名“ＰＶＰ　Ｋ−９０”）　　　　　　　６０部
　メラミン系架橋剤（商品名“スミレーズレジンＳＲ６１３”）　　　３．２部
　　【００１８】
　比較例２
　インキ受容層用塗料として、下記組成物を使用した他は実施例１と同様に操作して記録シートを作成した。
　絹雲母（商品名“ミクロクリーン”、同和鉱業（株）製）　　　　　　２０部
　ポリビニルアルコール（商品名“Ｔ−３３０”）　　　　　　　　　　５０部
　ポリビニルピロリドン（商品名“ＰＶＰ　Ｋ−９０”）　　　　　　　６０部
　メラミン系架橋剤（商品名“スミレーズレジンＳＲ６１３”）　　　３．２部
　　【００１９】
　実施例１〜２、比較例１〜２で得られた記録シートをＡ４サイズに裁断し、インキジェットプリンター（商品名“ＰＣ−ＰＲ８０１”、ＮＥＣ（株）製）およびインキジェットプリンター用インキ（商品名“ＰＣ−ＰＲ８０１”、ＮＥＣ（株）製）を用いてカラー印字を実施し、各種特性を測定した。測定結果は表１に示す。表１から明らかなように、本発明の記録シートはインキ吸収性に優れ、ブロッキングもなく、かつ画像も良好であった。
　　【００２０】
　各種特性の測定方法
　インキ吸収性：印字後、印字面上にビーズ状になって残っているインキの状態を目視により評価した。評価基準は次の通りである。
　○：殆どインキが残らない　　　×：インキがビーズ状になり多く残っている
　△：○と△の中間状態
　保存安定性：試料を２０枚重ね、荷重６０ｋｇ／ｃｍ２を掛け、これを３０℃、８０％ＲＨの環境下に２４時間保持したときのブロッキング状態を評価した。
評価基準は次の通りである。
　○：ブロッキングが殆ど無く実用的に問題がない
　△：多少ブロッキングが発生
　×：ブロッキングが激しく、実用に耐えない
　画質：印字後の試料について、画像の鮮明性、ニジミを目視で評価した。
　○：画像良好　　　×：画像不良　　　△：○と×の中間状態
　定着性：印字直後の試料の印字部分に紙を重ね、紙の上から指でこすり、紙へのインキの転写状態を目視で評価した。
　○：紙への転写が殆どない　　　×：紙ヘインキが多量に転写する
　△：○と×の中間状態
　　【００２１】
　　【００２２】
　【発明の効果】
　本発明によれば、優れたインキ吸収性、記録された部分に指で触れてもインキが指に付着することがない良好な定着性、良好な保存安定性、インキの惨み等がない良好な画質等の各種特性に優れたインキジェットプリンター用記録シートが提供される。